(57)【要約】【課題】  回転刈り刃からの風が前バッフルプレートから漏れ出ても刈り刃ハウジングの角部から外部に漏れ出にくいモーアを提供する。【解決手段】  刈り刃ハウジング２１の内部に刈り刃ハウジング横方向に並んで位置するとともに刈り刃ハウジング上下向き軸芯Ｘまわりで回転自在な複数の回転刈り刃２２Ｌ，２２Ｃ，２２Ｒと、刈り刃ハウジング２１の内部の各回転刈り刃の回転域２２ＬＡ，２２ＣＡ，２２ＲＡの前方に位置した前バッフルプレート４０と、刈り刃ハウジング２１の横一端部に位置した刈り草排出口２３とを備えている。刈り刃ハウジング２１の刈り草排出口２３が位置する側とは反対側の横端部で刈り刃ハウジング２１の横縦壁２１ｄと前縦壁２１ｂとによって刈り刃ハウジング内に形成される角部７０に底面７１ａを形成し、回転刈り刃２２Ｌからの風を横縦壁２１ｄと前縦壁２１ｂとに沿って刈り草排出口２３に向けて流動するよう底面７１ａによって流動案内する角部ガイド７１を刈り刃ハウジング２１に備えてある。【選択図】        図３
2008072910.tif 000002
【特許請求の範囲】
【請求項１】
刈り刃ハウジングの内部に刈り刃ハウジング横方向に並んで位置するとともに刈り刃ハウジング上下向き軸芯まわりで回転自在な複数の回転刈り刃と、前記刈り刃ハウジングの内部の前記各回転刈り刃の回転域の前方に位置した前バッフルプレートと、前記刈り刃ハウジングの横一端部に位置した刈り草排出口とを備えたモーアであって、
前記刈り刃ハウジングの前記刈り草排出口が位置する側とは反対側の横端部で刈り刃ハウジングの横縦壁と前縦壁とによって刈り刃ハウジング内に形成される角部に底面を形成し、前記回転刈り刃からの風を前記横縦壁と前記前縦壁とに沿って前記刈り草排出口に向けて流動するよう前記底面によって流動案内する角部ガイドを前記刈り刃ハウジングに備えてあるモーア。
【請求項２】
前記刈り刃ハウジングの前縦壁の下端部から刈り刃ハウジング内後方側に向かって延出し、回転刈り刃からの風を前記刈り草排出口に向けて流動するよう案内するガイドを、前記角部ガイドと前記刈り草排出口との間に前記前縦壁に沿わせて設けてある請求項１記載のモーア。
【発明の詳細な説明】
【技術分野】
【０００１】
本発明は、刈り刃ハウジングの内部に刈り刃ハウジング横方向に並んで位置するとともに刈り刃ハウジング上下向き軸芯まわりで回転自在な複数の回転刈り刃と、前記刈り刃ハウジングの内部の前記各回転刈り刃の回転域の前方に位置した前バッフルプレートと、前記刈り刃ハウジングの横一端部に位置した刈り草排出口とを備えたモーアに関する。
【背景技術】
【０００２】
上記したモーアとして、従来、たとえば特許文献１に示されるものがあった。特許文献１に示されるモーアは、モーアデッキ（刈り刃ハウジングに相当）と、３枚のブレード（回転刈り刃に相当）と、前部バッフルプレート（前バッフルプレートに相当）と、排出口（刈り草排出口に相当）とを備えている。
【０００３】
【特許文献１】特開２００６−２０５３１号公報（段落〔００１２〕，〔００１３〕、図４，５）
【発明の開示】
【発明が解決しようとする課題】
【０００４】
この種のモーアでは、特許文献１に示される如く、刈り刃ハウジングの刈り草排出口が位置する側とは反対側の横端部における刈り刃ハウジング内に、刈り刃ハウジングの前縦壁と横縦壁とによって角部を形成されることがある。また、回転刈り刃によって切断された刈り草は、回転刈り刃の回転によって発生した風によって刈り刃ハウジングの横端部に搬送され、刈り草排出口から刈り刃ハウジング外に排出される。このため、回転刈り刃によって発生した風が前バッフルプレートから前記角部に漏れ出ることがあった。また、前バッフルプレートによる草の押し倒しが発生しにくいように前バッフルプレートの地面との隙間を大にするほど、前バッフルプレートからの風の漏れ出しが発生しやすくなる。従来、角部に漏れ出た風は、角部を前縦壁や横縦壁に沿って下降し、角部から刈り刃ハウジング外に漏れ出やすくなっていた。角部の角度が急角度になるほど、風が刈り刃ハウジングに沿って横流れしにくくなり、風の刈り刃ハウジング外への漏れ出しが発生しやすくなっていた。この結果、刈り刃ハウジング外に漏れ出た風による草の押し倒しが発生しやすくなっていた。
【０００５】
本発明の目的は、前記角部への風漏れ出しが発生しても、角部から刈り刃ハウジング外への風漏れ出しを抑制しやすいモーアを提供することにある。
【課題を解決するための手段】
【０００６】
本第１発明は、刈り刃ハウジングの内部に刈り刃ハウジング横方向に並んで位置するとともに刈り刃ハウジング上下向き軸芯まわりで回転自在な複数の回転刈り刃と、前記刈り刃ハウジングの内部の前記各回転刈り刃の回転域の前方に位置した前バッフルプレートと、前記刈り刃ハウジングの横一端部に位置した刈り草排出口とを備えたモーアにおいて、
前記刈り刃ハウジングの前記刈り草排出口が位置する側とは反対側の横端部で刈り刃ハウジングの横縦壁と前縦壁とによって刈り刃ハウジング内に形成される角部に底面を形成し、前記回転刈り刃からの風を前記横縦壁と前記前縦壁とに沿って前記刈り草排出口に向けて流動するよう前記底面によって流動案内する角部ガイドを前記刈り刃ハウジングに備えてある。
【０００７】
本第1発明の構成によると、前バッフルプレートから角部への風漏れ出しが発生しても、漏れ出た風は、角部ガイドの底面によって流動案内され、横縦壁と前縦壁とに沿って刈り草排出口に向けて流動しやすくなる。この結果、角部から刈り刃ハウジング外への風漏れ出しが発生しにくくなる。
【０００８】
これにより、前バッフルプレートに大きな地面との隙間を備えさせたり、刈り刃ハウジングに角部角度が急角度になる形状を備えさせたりしても、刈り刃ハウジングの角部から外部に風が漏れ出して草が押し倒される事態の発生を回避しやすく、刈り高さが揃うなど仕上がりのよい草刈り作業を行うことができる。
【０００９】
本第２発明は、本第１発明の構成において、前記刈り刃ハウジングの前縦壁の下端部から刈り刃ハウジング内後方側に向かって延出し、回転刈り刃からの風を前記刈り草排出口に向けて流動するよう案内するガイドを、前記角部ガイドと前記刈り草排出口との間に前記前縦壁に沿わせて設けてある。
【００１０】
本第２発明の構成によると、角部ガイドからの風がガイドによる流動案内によって刈り草排出口にスムーズに流動し、刈り刃ハウジングから前方への風漏れ出しも発生しにくくなって刈り刃ハウジングの前方に位置する草がスムーズに、かつ風による押し倒しの少ない姿勢で刈り刃ハウジング内に導入されやすくなる。
【００１１】
これにより、刈り刃ハウジングの前方に位置する草を刈り刃ハウジング内に適切な姿勢でスムーズに導入して切断処理され、刈り高さが揃うなど仕上がりのよい草刈り作業を能率よく行うことができる。
【発明を実施するための最良の形態】
【００１２】
以下、本発明の実施例を図面に基づいて説明する。
図１は、乗用型草刈機の全体側面図である。図２は、乗用型草刈機の全体平面図である。これらの図に示すように、乗用型草刈機は、左右一対の前車輪１，１と左右一対の後車輪２，２とを有した自走車体と、この自走車体の車体フレーム３の前輪１と後輪２との間にリンク機構４を介して装着された本発明の実施例に係るモーア２０とを備えている。
【００１３】
この乗用型草刈機は、草刈りや芝刈り作業を行うものである。
すなわち、リンク機構４の左右一対の後揺動リンク４ｂ，４ｂを一体揺動自在に支持している支軸４ｄに連結された昇降シリンダ１４を操作すると、リンク機構４が昇降シリンダ１４によって車体フレーム３に対して上下に揺動操作され、モーア２０をゲージ輪２５が地面に接地した下降作業状態と、ゲージ輪２５が地面から上昇した上昇非作業状態とに昇降操作する。モーア２０を下降作業状態にして自走車体を走行させると、モーア２０は、刈り刃ハウジング２１の内部に位置する３枚の回転刈り刃２２Ｌ，２２Ｃ，２２Ｒ（図３参照）によって草や芝の刈り処理を行い、刈り草や刈り草を各回転刈り刃２２Ｌ，２２Ｃ，２２Ｒの回転によって発生した風によって刈り刃ハウジング２１の内部を刈り刃ハウジング２１の横一端部に位置する刈り草排出口２３（図３参照）に搬送し、この刈り草排出口２３から放出ガイド２４によって案内させながら自走車体横外側に放出する。
【００１４】
自走車体について詳述する。
自走車体は、前記左右一対の前車輪１，１と前記左右一対の後車輪２，２とを備える他、車体後部に設けたエンジン５を有した原動部と、運転座席６及び左右一対の操縦レバー７，７を有した運転部と、運転座席６の後側近くに位置した転倒保護枠８と、前記左右の後車輪２，２を支持する伝動装置９と、伝動装置９の前部に位置する動力取り出し軸１０の駆動力をモーア２０の刈り刃駆動機構２０Ｄに伝達する回転軸１１とを備えている。左右の前車輪１は、車体フレーム３の前部に連結された前輪支持フレーム１２の端部に前輪支持フォーク１３を介して遊転自在に支持されている。左右の前車輪１は、前輪支持フォーク１３と共に前輪支持フレーム１２に対して揺動操向する。左右の後車輪２，２は、伝動装置９が備える一対の静油圧式無段変速装置（図示せず）によって各別に駆動され、前記左右一対の操縦レバー７，７による一対の静油圧式無段変速装置の各別な変速操作によって各別に前進側及び後進側に変速され、かつ停止操作される。
【００１５】
次に、リンク機構４について詳述する。
リンク機構４は、車体フレーム３とモーア２０の刈り刃ハウジング２１の前端側とにわたって連結されて、モーア２０の前端側を車体フレーム３に昇降自在に連結している左右一対の前揺動リンク４ａ，４ａと、車体フレーム３と前記刈り刃ハウジング２１の後端側とにわたって連結されて、モーア２０の後端側を車体フレーム３に昇降自在に連結している左右一対の後揺動リンク４ｂ，４ｂと、左右両側において前揺動リンク４ａと後揺動リンク４ｂとにわたって連結された連動リンク４ｃとを備えている。
【００１６】
次に、モーア２０について詳述する。図３は、モーア２０の底面図である。図４は、モーア２０の底面側からの斜視図である。
これらの図に示すように、モーア２０は、前記刈り刃ハウジング２１と、前記３枚の回転刈り刃２２Ｌ，２２Ｒ，２２Ｃと、前記刈り草排出口２３と、前記ゲージ輪２５とを備える他、刈り刃ハウジング２１の内部に各回転刈り刃２２Ｌ，２２Ｒ，２２Ｃよりも前側に配置して設けた前バッフルプレート４０と、刈り刃ハウジング２１の内部に各回転刈り刃２２Ｌ，２２Ｒ，２２Ｃよりも後側に配置して設けた後バッフルプレート５０とを備えている。
【００１７】
刈り刃ハウジング２１は、天板２１ａと、この天板２１ａの山形の前縁部から刈り刃ハウジング下方向きに延出した前縦壁２１ｂと、天板２１ａの後縁部から刈り刃ハウジング下向きに延出した後縦壁２１ｃと、天板２１ａの横端部から刈り刃ハウジング下向きに延出した横縦壁２１ｄとによって構成され、自走機体下方向きに開口した容器形になっている。後縦壁２１ｃは、この後縦壁２１ｃの刈り刃ハウジング横方向での両端部に位置するとともに刈り刃ハウジング上下方向視で円弧形になった円弧形端部壁３１と、前記一対の円弧形端部壁３１，３１の間に位置するとともに刈り刃ハウジング上下方向視で直線形になった直線形中間部壁３２と備えている。刈り刃ハウジング２１の前記刈り草排出口２３は、天板２１ａと前縦壁２１ｂと後縦壁２１ｃとのそれぞれの端部によって形成されている。
【００１８】
図３，４に示すように、前記後縦壁２１ｃは、この後縦壁２１ｃの刈り刃ハウジング横幅方向での中央部に位置する部位としての前記直線形中間壁部３２の中央部位に設けた通気口３３と、この通気口３３の両横側に配置して前記直線形中間壁部３２に設けた第二通気口３４とを備えている。前記各第二通気口３４と前記通気口３３とは、前記通気口３３を挿通させて前記後バッフルプレート５０のセンタ刈り刃対応部５２と前記直線形中間壁部３２とにわたって連結された左右一対の板金製の支持部材６０，６０のうちの第二通気口３４に近い方の支持部材６０を挟んだ位置関係になっている。前記各第二通気口３４は、前記通気口３３とで挟んでいる前記支持部材６０の近くに配置されている。
【００１９】
図３，４に示すように、前記３枚の回転刈り刃２２Ｌ，２２Ｒ，２２Ｃは、刈り刃ハウジング２１の内部に刈り刃ハウジング横方向に並んでいる。各回転刈り刃２２Ｌ，２２Ｒ，２２Ｃは、刈り刃ハウジング２１の天板２１ａにベアリング支持ケースで成る支持部材２６を介して回転自在に支持された刈り刃駆動軸２７の下端部に一体回転自在に支持されており、刈り刃駆動軸２７が備える刈り刃ハウジング上下向きの軸芯Ｘまわりで刈り刃駆動軸２７と共に刈り刃ハウジング２１に対して回転する。各回転刈り刃２２Ｌ，２２Ｒ，２２Ｃは、回転刈り刃２２Ｌ，２２Ｒ，２２Ｃの両端部に設けた切断刃２８と、各切断刃２８の背後側に設けた起風羽根２９とを備えている。
【００２０】
前バッフルプレート４０は、３枚の回転刈り刃２２Ｌ，２２Ｒ，２２Ｃのうちの前記刈り草排出口２３が位置する側とは反対側の端に位置した反排出側サイド回転刈り刃２２Ｌの前方近くに位置したサイド刈り刃対応部４１と、３枚の回転刈り刃２２Ｌ，２２Ｒ，２２Ｃのうちの中央に位置したセンタ回転刈り刃２２Ｃの前方近くに位置したセンタ刈り刃対応部４２と、３枚の回転刈り刃２２Ｌ，２２Ｒ，２２Ｃのうちの前記刈り草排出口２３が位置する側の端に位置した排出側サイド回転刈り刃２２Ｒの前方に位置したサイド刈り刃対応部４３とを備えている。前記サイド刈り刃対応部４１は、刈り刃ハウジング上下方向視で反排出側回転刈り刃２２Ｌの回転域２２ＬＡの前部にほぼ沿った円弧形になっている。前記センタ刈り刃対応部４２は、刈り刃ハウジング上下方向視でセンタ回転刈り刃２２Ｃの回転域２２ＣＡの前部にほぼ沿った円弧形になっている。前記サイド刈り刃対応部４３は、排出側サイド回転刈り刃２２Ｒの回転域２２ＲＡから前方にかなり離れている。このサイド刈り刃対応部４３は、センタ刈り刃対応部４２に連結している側の端部分では刈り刃ハウジング上下方向視で円弧形になり、その他の部分では刈り刃ハウジング上下方向視で直線形になっている。前バッフルプレート４０は、前バッフルプレート４０の長手方向での複数箇所に連結された取り付けロッド４５によって刈り刃ハウジング２１の天板２１ａに連結されている。図５，７に示すように、前バッフルプレート４０と地面Ｇとの隙間が前縦壁２１ｂと地面Ｇとの隙間よりも大になるよう、前バッフルプレート４０の下端の配置高さＨ１が前縦壁２１ｂの下端の配置高さＨ２よりも高くなっている。
【００２１】
後バッフルプレート５０は、前記反排出側サイド回転刈り刃２２Ｌに対応したサイド刈り刃対応部５１と、前記センタ回転刈り刃２２Ｃに対応した前記センタ刈り刃対応部５２と、前記排出側サイド刈り刃２２Ｒに対応したサイド刈り刃対応部５３とを備えている。前記サイド刈り刃対応部５１は、刈り刃ハウジング上下方向視で反排出側回転刈り刃２２Ｌの回転域２２ＬＡに沿った円弧形になっている。このサイド刈り刃対応部５１の一部は、前記円弧形端部壁３１によって構成してある。前記センタ刈り刃対応部５２は、刈り刃ハウジング上下方向視でセンタ回転刈り刃２２Ｃの回転域２２ＣＡに沿った円弧形になっている。前記サイド刈り刃対応部５３は、刈り刃ハウジング上下方向視で排出側サイド回転刈り刃２２Ｒの回転域２２ＲＡに沿った円弧形になっている。このサイド刈り刃対応部５３の一部は、前記円弧形端部壁３１によって構成してある。
【００２２】
刈り刃ハウジング２１の前記刈り草排出口２３が位置する側とは反対側の横端部を、図６に示す如く構成してある。前記横縦壁２１ｄと前記前縦壁２１ｂとによって図６の如き角部７０が刈り刃ハウジング２１の内部に形成され、かつ、横縦壁２１ｄの直線部分における延長線２１ｄＬと、前縦壁２１ｂの直線部分における延長線２１ｂＬとの交点Ｙが前記反排出側サイド回転刈り刃２２Ｌの回転域２２ＬＡから刈り刃ハウジング前方側に間隔Ｄを離れて位置した状態の横端部に構成してある。
【００２３】
図３，４に示すように、刈り刃ハウジング２１は、刈り刃ハウジング２１の前記角部７０に設けた角部ガイド７１と、この角部ガイド７１と前記刈り草排出口２３との間に前縦壁２１ｂに沿わせて設けたガイド７２とを備えている。図６は、角部カイド７１の底面視での構造を示し、図７は、角部ガイド７１の横断面視での構造を示す。これらの図に示すように、角部ガイド７１は、前縦壁２１ｂの下端部と横縦壁２１ｄの下端部との端部どうしにわたって連結した板体によって構成してある。角部ガイド２１ｂは、前記角部７０に刈り刃ハウジング上方向きの底面７１ａを形成している。この底面７１ａは、前バッフルプレート４０の前記サイド刈り刃対応部４１の端部よりも前方に前バッフルプレート４０の下端よりも低い配置高さで位置している。
つまり、角部ガイド７１は、反排出側回転刈り刃２２Ｌの起風羽根２９の回転によって発生し、回転域２２ＬＡから前バッフルプレート４０のサイド刈り刃対応部４１の下方を通って角部７０に漏れ出た風を横縦壁２１ｄと前縦壁２１ｂとに沿って刈り草排出口２３に向けて流動するよう底面７１ａによって流動案内する。
【００２４】
図３，６は、ガイド７２の底面視での構造を示し、図５は、ガイド７２の横断面視での構造を示す。これらの図に示すように、ガイド７２は、前記前縦壁２１ｂの下端部から刈り刃ハウジング内後方側に向かって延出した刈り刃ハウジング上向きの案内面７２ａを備えるよう、前縦壁２１ｂの内面側に縦辺部が連結ボルト７３で連結された折り曲げ板体の横辺部によって構成してある。ガイド７２は、刈り刃ハウジング２１の横方向に分割された２つの分割折り曲げ板体によって構成してある。案内面７２ａは、前バッフルプレート４０よりも前方に前記角部ガイド７１の底面７１ａの配置高さと同一の配置高さで位置している。
つまり、ガイド７２は、前記角部ガイド７１からの風と、各回転刈り刃２２Ｌ，２２Ｃ，２２Ｒの起風羽根２９の回転によって発生し、各回転域２２ＬＡ，２２ＣＡ，２２ＲＡから前バッフルプレート４０の下方を通って前縦壁２１ｂの付近に漏れ出た風を前縦壁２１ｂに沿って刈り草排出口２３に向けて流動するようガイド面７２ａによって流動案内する。
【００２５】
つまり、エンジン５からの駆動力を回転軸１１によって刈り刃駆動機構２０Ｄに伝達し、この刈り刃駆動機構２０Ｄによって各刈り刃駆動軸２７を駆動することにより、各回転刈り刃２２Ｌ，２２Ｒ，２２Ｃを刈り刃駆動軸２７が有する刈り刃ハウジング上下向きの軸芯Ｘまわりで図３に示す回転方向Ａに駆動する。すると、反排出側サイド回転刈り刃２２Ｌと排出側サイド回転刈り刃２２Ｒとは、起風羽根２９の起風作用により、刈り刃ハウジング２１の外部の空気を刈り刃ハウジング２１の前縦壁２１ｂ、横縦壁２１ｄ、後縦壁２１ｃの下方から回転域２２ＬＡ，２２ＲＡに導入して空気流を発生させ、芝、草を空気流によって起立させながら切断刃２８によって切断処理する。センタ回転刈り刃２２Ｃは、起風羽根２９の起風作用により、刈り刃ハウジング２１の外部の空気を刈り刃ハウジング２１の前縦壁２１ｂの下方から、さらに後縦壁２１ｃの下方と通気口３３と各第二通気口３４とから後バッフルプレート５０の下方を通してそれぞれ回転域２２ＣＡに導入して空気流を発生させ、芝、草を空気流によって起立させながら切断刃２８によって切断処理する。各ゲージ輪２５が地面に接地して刈り刃ハウジング２１を接地支持し、各回転刈り刃２２Ｌ，２２Ｒ，２２Ｃを設定刈り高さとしての設定対地高さに維持していることにより、各回転刈り刃２２Ｌ，２２Ｒ，２２Ｃによる刈り高さが設定刈り高さになる。各回転刈り刃２２Ｌ，２２Ｒ，２２Ｃによって切断処理された刈り草や刈り芝を各回転刈り刃２２Ｌ，２２Ｒ，２２Ｃの起風羽根２９によって発生した風により、後バッフルプレート５０と前バッフルプレート４０とに案内させて刈り刃ハウジング２１の内部を刈り草排出口２３が位置する横一端側に搬送し、刈り草排出口２３から刈り刃ハウジング２１の横外側に放出する。このとき、各回転刈り刃２２Ｌ，２２Ｃ，２２Ｒによって発生した風が前バッフルプレート４０から刈り刃ハウジング前方側に漏れ出ても、漏れ出た風は、角部ガイド７１の底面７１ａやガイド７２の案内面７２ａによる流動案内によって横縦壁２１ｄや前縦壁２１ｂに沿って刈り草排出口２３に向けて流動し、刈り刃ハウジング２１の角部７０や前縦壁２１ｂから外部に漏れ出にくくなる。
【００２６】
図３に示すように、モーア２０は、刈り刃ハウジング２１の刈り刃ハウジング横方向での中央部の前側と後側とに刈り刃ハウジング横方向に並べて設けた一対の接地ローラ６１，６１，６２，６２を備えている。
【００２７】
前側の左右一対の接地ローラ６１，６１は、刈り刃ハウジング２１の前縦壁２１ｂに連結された左右一対の支持部材６３に支軸６４を介して遊転自在に支持されている。前側の左右一対の接地ローラ６１，６１は、地面に隆起部などの障害物があると、この障害物に乗り上がって刈り刃ハウジング２１の前端側を障害物に突っ込まないように接地支持しながら障害物を乗り越えていく。
【００２８】
図３，４，５に示すように、後側の左右一対の接地ローラ６２，６２は、前記後バッフルプレート５０と直線形中間壁部３２とにわたって連結された前記左右一対の支持部材６０，６０の前記通気口３３から後方に突出した部位に支軸６５を介して遊転自在に支持されている。後側の左右一対の接地ローラ６２，６２は、地面に隆起部などの障害物があると、この障害物に乗り上がって刈り刃ハウジング２１の後端側を障害物に突っ込まないように接地支持しながら障害物を乗り越えていく。この左右一対の接地ローラ６２，６２は、通気口３３の通気障害になりにくいように接地ローラ６２の全体が通気口３３から後方に突出した配置で支持されている。
【図面の簡単な説明】
【００２９】
【図１】乗用型草刈機全体の側面図
【図２】乗用型草刈機全体の平面図
【図３】モーアの底面図
【図４】モーアの斜視図
【図５】モーアの縦断側面図
【図６】モーアの横端部の平面図
【図７】図６のＶＩＩ−ＶＩＩ断面矢視図
【符号の説明】
【００３０】
２１          刈り刃ハウジング
２１ｂ        前縦壁
２１ｄ        横縦壁
２２Ｌ，２２Ｃ，２２Ｒ      回転刈り刃
２２ＬＡ，２２ＣＡ，２２ＲＡ      回転域
４０          前バッフルプレート
７０          角部
７１          角部ガイド
７１ａ        底面
７２          ガイド
Ｘ            軸芯
【図１】
2008072910.tif 000003
【図２】
2008072910.tif 000004
【図３】
2008072910.tif 000005
【図４】
2008072910.tif 000006
【図５】
2008072910.tif 000007
【図６】
2008072910.tif 000008
【図７】
2008072910.tif 000009